(57)【要約】【課題】商品に応じた傾斜角度で商品を陳列しうるとともに、通常の陳列棚の部材を一部利用することにより、部品点数を削減し、コスト低減が図れるようにする。【解決手段】下端に前方を向くベース脚４を有する左右１対の支柱２の前面に、前後方向を向く陳列板３の後端部を、上下方向に位置調節可能、かつ上下に回動可能に支持すると共に、各支柱２におけるベース脚４の前端に、支柱２よりも短寸の補助支柱５を立設し、この両補助支柱５の上端により、陳列板３の前端部を支持する。【選択図】        図１
2004261283.tif 000002
【特許請求の範囲】
【請求項１】
下端に前方を向くベース脚を有する左右１対の支柱の前面に、前後方向を向く陳列板の後端部を、上下方向に位置調節可能、かつ上下に回動可能に支持すると共に、前記各支柱におけるベース脚の前端に、支柱よりも短寸の補助支柱を立設し、この両補助支柱の上端により、前記陳列板の前端部を支持したことを特徴とする商品陳列棚。
【請求項２】
各支柱の前面に、複数のスリットを、上下方向に間隔をおいて設け、該スリットに選択的に後端の係合爪を係合させて取付けた左右１対の支持金具により、陳列板の後端を上下位置調節可能に支持してなる請求項１に記載の商品陳列棚。
【請求項３】
支持金具の上端部に、凹状の係止溝を設け、この係止溝に、陳列板の後端下部に設けた左右方向を向く係止ピンを上方より遊嵌することにより、陳列板の後端を、左右の支持金具により上下に回動可能に支持した請求項２記載の商品陳列棚。
【請求項４】
陳列板の前端に、商品の落下を防止するフェンスを取り付けた請求項１〜３のいずれかに記載の商品陳列棚。
【請求項５】
陳列板の上面に階段状の補助陳列板を載置した請求項１〜４のいずれかに記載の商品陳列棚。
【発明の詳細な説明】
【０００１】
【発明の属する技術分野】
本発明は、スーパーマーケットやホームセンター、コンビニエンスストア等に設置し、青果や食料品、日用品、その他の商品を、客が見易いように陳列するのに用いる商品陳列棚に関する。
【０００２】
【従来の技術】
商品陳列棚は、陳列する商品に応じて客が容易に見得る傾斜角度で陳列することが好ましく、また商品の多様性に対処できることが好ましい。
このような商品陳列棚（台）としては、例えば、台枠上面の左右両水平枠杆に、前後幅が台枠の前後幅より狭い移動枠を前後方向へ移動可能に載せると共に、移動枠の前枠杆に陳列板の前端を上方へ回動可能に枢着し、移動枠と陳列板との間に陳列板の傾斜角度調整装置を設け、陳列板の傾斜角度を調整することにより、商品に応じた傾斜角度で商品を陳列しうるようにしたものがある（例えば特許文献１参照）。
【０００３】
【特許文献１】
特開平９―５６５４２号公報（第２―３頁、図５）
【０００４】
【発明が解決しようとする課題】
上記特許文献に記載された商品陳列台では、全体を立方形に組立てられた台枠に、移動枠を前後移動可能に載置すると共に、移動枠と陳列板との間に、傾斜角度調整装置を取り付けているため、構造が比較的複雑で部品点数も多く、製造コストが大となる。
また、構成部材の全てを、新たに設計して製作しなれけばならないので、これもコスト高の原因となる。
【０００５】
本発明は、上記問題点に鑑みてなされたもので、商品に応じた傾斜角度で商品を陳列できる上、通常の陳列棚の部材を一部利用することにより、部品点数を削減し、かつ構造を簡単として、コスト低減が図れるようにした、商品陳列棚を提供することを目的としている。
【０００６】
【課題を解決するための手段】
本発明によると、上記課題は、次のようにして解決される。
（１）下端に前方を向くベース脚を有する左右１対の支柱の前面に、前後方向を向く陳列板の後端部を、上下方向に位置調節可能、かつ上下に回動可能に支持すると共に、前記各支柱におけるベース脚の前端に、支柱よりも短寸の補助支柱を立設し、この両補助支柱の上端により、前記陳列板の前端部を支持する。
【０００７】
（２）上記（１）項において、各支柱の前面に、複数のスリットを、上下方向に間隔をおいて設け、該スリットに選択的に後端の係合爪を係合させて取付けた左右１対の支持金具により、陳列板の後端を上下位置調節可能に支持する。
【０００８】
（３）上記（１）または（２）項において、支持金具の上端部に、凹状の係止溝を設け、この係止溝に、陳列板の後端下部に設けた左右方向を向く係止ピンを上方より遊嵌することにより、陳列板の後端を、左右の支持金具により上下に回動可能に支持する。
【０００９】
（４）上記（１）〜（３）項のいずれかにおいて、陳列板の前端に、商品の落下を防止するフェンスを取り付ける。
【００１０】
（５）上記（１）〜（４）項のいずれかにおいて、陳列板の上面に階段状の補助陳列板を載置する。
【００１１】
【発明の実施形態】
以下、本発明の実施形態を、図１〜図５を参照して説明する。
図１に示すように、商品陳列棚（１）は、左右方向に間隔をおいて隣接する複数（３個）の支柱（２）（２）（２）と、平面視方形をなす前後寸法の大きな陳列板（３）とを備え、陳列板（３）の後端部は、後述するように、上下方向の取付け位置を調節可能として左右に隣接する支柱（２）に取り付けられ、また前端部は、隣接する支柱（２）の下端から前方へ突出する１対のベース脚（４）（４）の前端に固着された上方を向く短寸の補助支柱（５）の上端により支持されている。
【００１２】
各支柱（２）は、断面形状が方形をなす筒状の鋼材からなり、前面には、上下方向を向く左右２列のスリット（６）が、等間隔をおいて多数列設され、上記ベース脚（４）は、各支柱（２）の下端の前面に固着されている。左右に隣接する支柱（２）（２）の上下の対向面同士は、横杆（７）（７）によって互いに結合されている。各支柱（２）の下端とベース脚（４）の前端の下面には、キャスタ（８）が取付けられている。
【００１３】
上記支柱（２）、ベース脚（４）、横杆（７）は、通常の陳列棚を構成する部材で、隣接する支柱（２）間の前面には、スリット（６）を利用して、横長の棚板（９）が水平として取付けられている。
（１０）は後面板である。
【００１４】
後述するように、隣接する支柱（２）の後面にも陳列板（３）や棚板（９）を取り付ける際には、各支柱（２）の後面にも上述のようなスリット（６）を設けるとともに、各支柱（２）の後面の下端に、ベース脚（４）を後向きに固着し、その後端に、上述のような補助支柱（５）を上向きに固着すればよい。
【００１５】
（１１）は、陳列板（３）の後端を支持する垂直平板状の支持金具で、図２に示すように、その後端面には、上記各支柱（２）のスリット（６）に係合可能な上下３個の下向鉤状の係合爪（１２）が、等間隔おきに突設されている。
【００１６】
支持金具（１１）の上面には、上端が開口する側面視Ｕ字状の係止溝（１３）が形成され、この係止溝（１３）には、正面視下向コ字状をなす棚板支持杆（１４）の後端のコ字状空間部内に固着された、左右方向を向く係止ピン（１５）が、上方より挿脱自在に遊嵌されるようになっている。
【００１７】
隣接する支柱（２）のスリット（６）の所望の位置に１対の支持金具（１１）を取付け、両支持金具（１１）の係止溝（１３）に、陳列板（１３）における複数の載置板（３ａ）の左右両側部下面に固着した棚板支持杆（１４）の後端の係止ピン（１５）を、回動可能に係止させることにより、陳列板（３）の後端が支柱（２）の前面により支持されている。
【００１８】
上記左右１対の補助支柱（５）は、図３に示すように、平面視コ字状をなすチャンネル鋼材からなり、その前面の上端部には、上端が開口するスリット状の切欠き溝（１６）を設けてある。左右の補助支柱（５）の切欠き溝（１６ａ）に、左右の棚板支持杆（１４）の前端部における外方の下向片（１４ａ）を、上方より嵌合することにより、陳列板（３）の前端部が１対の補助支柱（５）により着脱可能に支持されている。
【００１９】
切欠き溝（１６）の幅は、陳列板（３）を左右方向に並べて支持する際は、隣接する棚板支持杆（１４）の両下向片（１４ａ）が共に嵌合しうる大きさとすればよい。
【００２０】
陳列板（３）の前端部には、商品の落下を防止するフェンス（１７）が上向きに取付けられている。
【００２１】
陳列商品の形状や種類に対応して、図１の仮想線で示すように、陳列板（３）の上面に階段状の補助陳列板（１８）を載置してもよい。
【００２２】
（１９）は、ストック商品等を収納可能なキャスタ付収納ボックスで、陳列板（３）の下方のデッドスペースに収容することができる。
また、このような収納ボックス（１９）を使用しないときには、補助支柱（５）の前面に閉塞板（２０）を取付けてもよい。
【００２３】
本発明の商品陳列棚（１）は、種々の形態で使用することができる。
図４に示す使用形態では、３本の支柱（２）と補助支柱（５）とにより、２枚の陳列板（３）（３）を左右に並べて支持し、支柱（２）の前方に傾斜した広い陳列面を形成すると共に、左右１対の支柱（２）（２）の後面間に、棚板（９）を上下４段に取り付けてある。
【００２４】
図５に示す使用状態では、支柱（２）の後面側にも、前面側と同様の支持形態をもって、左右２枚の陳列板（３）を取付け、前後両側に傾斜した陳列面を形成すると共に、陳列板（３）の下方のデッドスペースに、キャスタ付き収納ボックス（１９）を収容してある。
【００２５】
（２１）（２１）は、前後の陳列板（３）の側方の開口面を覆うように取付けた側板である。
【００２６】
【発明の効果】
請求項１記載の発明によれば、陳列板の後端の支柱への支持位置を上下方向に調節するだけで、陳列板の傾斜角度を変えることができるため、陳列する商品に応じて客が見易いように陳列することができる。
また、支柱とベース脚は、通常の陳列棚のものを利用しうるので、新たに製作する部材の点数は少なく、かつ簡単な構造であるため、コスト低減が図れる。
【００２７】
請求項２記載の発明によれば、支持金具の支柱のスリットへの係合位置を変えるだけの簡単な作業で、陳列板の傾斜角度を容易に変更することができることから、複雑な傾斜角度調節機構は不要となる。
【００２８】
請求項３記載の発明によれば、陳列板の支持金具への取付け、取外しを、上方より簡単に行うことができる。
【００２９】
請求項４記載の発明によれば、傾斜した陳列板上に、転がり易い商品を陳列しても、それが落下するのを防止することができる。
【００３０】
請求項５記載の発明によれば、階段状の補助陳列板上に、異なる種類の商品を分類するなどして陳列しうるので、商品の多様性に対処することができる。
【００３１】
【図面の簡単な説明】
【図１】本発明の一実施形態を示す斜視図である。
【図２】同じく、支持金具と、それにより支持される棚板支持杆の後端部の斜視図である。
【図３】同じく、補助支柱の上端部の斜視図である。
【図４】陳列棚の使用形態を示す斜視図である。
【図５】同じく、陳列棚の他の使用形態を示す斜視図である。
【符号の説明】
（１）陳列棚
（２）支柱
（３）陳列板
（３ａ）載置板
（４）ベース脚
（５）補助支柱
（６）スリット
（７）横杆
（８）キャスタ
（９）棚板
（１０）後面板
（１１）支持金具
（１２）係止爪
（１３）係止溝
（１４）棚板支持杆
（１４ａ）下向片
（１５）係止ピン
（１６）切欠き溝
（１７）フェンス
（１８）補助陳列板
（１９）収納ボックス
（２０）閉塞板
（２１）側面板
【図１】
2004261283.tif 000003
【図２】
2004261283.tif 000004
【図３】
2004261283.tif 000005
【図４】
2004261283.tif 000006
【図５】
2004261283.tif 000007